(57)【要約】【課題】引戸が水平方向に移動したり、引戸が前後に振れたりした場合でも、上レールからの引戸の脱落を有効に防止することができる上吊式引戸の脱落防止構造を提供する。【解決手段】上レール２０と、前記上レール２０に沿って走行可能なローラ部材１１を上部に取り付けた上吊式の引戸１０と、前記上レール２０に臨む位置に装着されるカバー部材３０とを備え、前記カバー部材３０は、前記引戸１０の水平方向及び垂直方向への移動を規制するとともに、前記引戸１０が振れたときに所定角度を超えて傾かないように規制する。【選択図】図２
2014125843.tif 000002
【特許請求の範囲】
【請求項１】
上レールと、
前記上レールに沿って走行可能なローラ部材を上部に取り付けた上吊式の引戸と、
前記上レールに臨む位置に装着されるカバー部材とを備え、
前記カバー部材は、前記引戸の水平方向及び垂直方向への移動を規制するとともに、前記引戸が振れたときに所定角度を超えて傾かないように規制することを特徴とする、上吊式引戸の脱落防止構造。
【請求項２】
前記カバー部材は、前記引戸が振れて前記ローラ部材が前記カバー部材の方向に倒れたときに、前記ローラ部材と接触することで前記引戸が所定角度を超えて傾かないように規制することを特徴とする、請求項１記載の上吊式引戸の脱落防止構造。
【請求項３】
前記引戸の上部には当接部が設けられており、
前記カバー部材は、前記引戸が振れて前記ローラ部材が前記カバー部材の反対方向に倒れたときに、前記当接部と接触することで前記引戸が所定角度を超えて傾かないように規制することを特徴とする、請求項１又は２記載の上吊式引戸の脱落防止構造。
【請求項４】
前記ローラ部材は、前記上レールに沿って回転自在な回動部と、前記回動部を支持する支軸部と、を有し、前記支軸部は前記カバー部材に接触可能であることを特徴とする、請求項１〜３のいずれかに記載の上吊式引戸の脱落防止構造。
【発明の詳細な説明】
【技術分野】
【０００１】
この発明は、上吊式の引戸が上レールから脱落しないようにするための脱落防止構造に関するものである。
【背景技術】
【０００２】
上吊式の引戸は、門戸の上枠などに設けた上レールに引戸を吊り下げ保持させ、引戸を上レールに沿って摺動させるように形成されるものであり、このような上吊式の引戸が上レールから脱落しないようにするための脱落防止構造として、吊車とは別に脱輪防止の専用部品を設けた構造が知られている。例えば、吊車と協働してレールを挟むように脱輪防止金具を設けた構造などが知られている。このような脱輪防止の専用部品を設けた構造では、レールの形状などが脱輪防止部品に左右されやすいため、レールのサイズ変更等が行いにくいという問題があった。
【０００３】
この点、特許文献１には、レールカバーを上レールに取付けることで、吊戸車の上方移動量をレールカバーで規制し、吊戸車が上レールから外れることを防止するようにした構造が開示されている。このように、レールカバーで脱落防止を行えば、脱輪防止の専用部品を設ける必要がないので、安価に製造でき、また、レールの形状などが脱輪防止部品によって制約を受けることもない。
【先行技術文献】
【特許文献】
【０００４】
【特許文献１】実開平０７−０３８５３４号公報
【発明の概要】
【発明が解決しようとする課題】
【０００５】
しかし、上記した特許文献１記載の構造は、引戸の面に対して力が加わることを想定したものではなかったため、吊戸車が上方に移動してレールから外れることは防止できるものの、吊戸車が水平方向に移動してレールから外れることは防止できないものであった。例えば、面積が大きい引戸を屋外に設置した場合などは風等の影響で振れ幅が大きくなるが、このように引戸が水平方向に移動したり、引戸が前後に振れたりした場合を想定したものではなかった。
【０００６】
そこで、本発明は、引戸が水平方向に移動したり、引戸が前後に振れたりした場合でも上レールからの引戸の脱落を有効に防止することができる上吊式引戸の脱落防止構造を提供することを課題とする。
【課題を解決するための手段】
【０００７】
本発明は、上記した課題を解決するためになされたものであり、以下を特徴とする。
【０００８】
（請求項１）
請求項１に記載の上吊式引戸の脱落防止構造は、上レールと、前記上レールに沿って走行可能なローラ部材を上部に取り付けた上吊式の引戸と、前記上レールに臨む位置に装着されるカバー部材とを備え、前記カバー部材は、前記引戸の水平方向及び垂直方向への移動を規制するとともに、前記引戸が振れたときに所定角度を超えて傾かないように規制することを特徴とする。
【０００９】
（請求項２）
請求項２に記載の発明は、上記した請求項１記載の発明の特徴点に加え、以下の点を特徴とする。
【００１０】
すなわち、前記カバー部材は、前記引戸が振れて前記ローラ部材が前記カバー部材の方向に倒れたときに、前記ローラ部材と接触することで前記引戸が所定角度を超えて傾かないように規制することを特徴とする。
【００１１】
（請求項３）
請求項３に記載の発明は、上記した請求項１又は２記載の発明の特徴点に加え、以下の点を特徴とする。
【００１２】
すなわち、前記引戸の上部には当接部が設けられており、前記カバー部材は、前記引戸が振れて前記ローラ部材が前記カバー部材の反対方向に倒れたときに、前記当接部と接触することで前記引戸が所定角度を超えて傾かないように規制することを特徴とする。
【００１３】
（請求項４）
請求項４に記載の発明は、上記した請求項１〜３のいずれかに記載の発明の特徴点に加え、以下の点を特徴とする。
【００１４】
すなわち、前記ローラ部材は、前記上レールに沿って回転自在な回動部と、前記回動部を支持する支軸部と、を有し、前記支軸部は前記カバー部材に接触可能であることを特徴とする。
【発明の効果】
【００１５】
請求項１に記載の発明は上記の通りであり、カバー部材で引戸の脱落防止を実現できるので、脱輪防止の専用部品を設ける必要がなく、安価に製造でき、また、レールの形状などが脱輪防止部品によって制約を受けることもない。
【００１６】
また、カバー部材は、前記引戸の水平方向及び垂直方向への移動を規制するとともに、前記引戸が振れたときに所定角度を超えて傾かないように規制するので、ローラ部材が水平方向または垂直方向に移動して上レールから外れることを防止するだけではなく、引戸が前後に振れることでローラ部材が上レールから外れることも防止することができる。よって、引戸下部がノンレールの場合であっても、その振れ幅の大きさに耐えうる構造であり、面積が大きい引戸を屋外に設置した場合において風等の影響で引戸が水平方向に移動したり、引戸が前後に振れたりした場合でも、上吊式の引戸が上レールから脱落することを防止できる。
【００１７】
また、カバー部材を取り付ける前においては上レールが解放されているため、上レールの上にローラ部材を引っ掛けるだけで容易に引戸を上レールに吊り込むことができる。例えば引戸の上部が見えないような高尺の引戸の場合でも容易に引戸を吊り込むことができ、引戸を吊り込んだ後にカバー部材を取り付けることができる。
【００１８】
また、請求項２に記載の発明は上記の通りであり、前記カバー部材は、前記引戸が振れて前記ローラ部材が前記カバー部材の方向に倒れたときに、前記ローラ部材に接触することで前記引戸が所定角度を超えて傾かないように規制するので、引戸の上端が上レール側に振れた場合において、ローラ部材が上レールから脱落することを確実に防止できる。
【００１９】
また、請求項３に記載の発明は上記の通りであり、前記カバー部材は、前記引戸が振れて前記ローラ部材が前記カバー部材の反対方向に倒れたときに、当接部に接触することで前記引戸が所定角度を超えて傾かないように規制するので、引戸の下端が上レールの反対側に振れた場合において、ローラ部材が上レールから脱落することを確実に防止できる。
【００２０】
また、請求項４に記載の発明は上記の通りであり、前記ローラ部材は、前記上レールに沿って回転自在な回動部と、前記回動部を支持する支軸部と、を有し、前記支軸部は前記カバー部材に接触可能である。すなわち、回動部（吊車など）をカバー部材に接触させるのではなく、支軸部をカバー部材に接触させているので、回動部の破損を防止できるとともに、構造的に強度を有する部分で接触させることで確実に脱落を防止することができる。
【図面の簡単な説明】
【００２１】
【図１】本発明の実施形態に係る門戸の正面図である。
【図２】上吊式引戸の脱落防止構造の断面図である。
【発明を実施するための形態】
【００２２】
本発明の実施形態について、本発明に係る上吊式引戸の脱落防止構造を備えた門戸を例に説明する。
【００２３】
本実施形態に係る門戸は、屋外に配置されるものであり、図１に示すような高尺の引戸１０を備えている。この引戸１０は、上レール２０に吊り込まれて水平方向に摺動する上吊式の引戸１０であり、下部にはレールを設けない構造となっている。
【００２４】
この引戸１０の上部両端付近にはローラ部材１１が取り付けられており、このローラ部材１１が上レール２０に係合することで、引戸１０が上レール２０に吊り支持されている。
【００２５】
ローラ部材１１は、図２に示すように、引戸１０の上面に略垂直に立設した支持部１２と、支持部１２の上端付近に設けられた軸保持部１３と、軸保持部１３によって略水平に支持された回転軸１４と、回転軸１４に対して回転可能に取り付けられた吊車１５と、を備えている。吊車１５は、引戸１０の中心よりもやや内側（建物側）にオフセットして設けられており、引戸１０の重心からずれた位置において上レール２０と係合している。
【００２６】
引戸１０の上部には、ローラ部材１１の下方に当接部１８が設けられている。この当接部１８は、ローラ部材１１よりもカバー部材３０の方向に突出して設けられている。本実施形態においては、略Ｌ字形の引戸１０の上桟が当接部１８を構成している。
【００２７】
なお、上レール２０には、上方に向けて開放されたレール溝２１が、上記した吊車１５の幅と略同じ幅で設けられており、吊車１５の水平方向への走行を案内している。
【００２８】
この上レール２０には、吊車１５の反対側（吊車１５から見て引戸１０の重心側）にカバー部材３０が取り付けられている。このカバー部材３０は、ローラ部材１１の上部に臨む上部カバー部３１と、ローラ部材１１の側部に臨む側部カバー部３２と、側部カバー部３２の下端から略水平に延設されて側部カバー部３２との間に角部３３を形成する下部カバー部３４と、を備えている。このカバー部材３０を上レール２０に取り付けることで、カバー部材３０と上レール２０とでローラ部材１１を側方から挟み込むようにサポートするとともに、ローラ部材１１の上部を上部カバー部３１で覆ってサポートするように形成されている。
【００２９】
なお、図２に示すように、ローラ部材１１の上部と上部カバー部３１との間の距離は、レール溝２１の深さよりも小さく設定されているため、ローラ部材１１が上部カバー部３１に接触する位置まで引戸１０が上方に（垂直方向に）動いたとしても、上部カバー部３１とローラ部材１１（支持部１２）とが接触し、吊車１５がレール溝２１から脱輪しないように形成されている。
【００３０】
また、図２に示すように、上レール２０とカバー部材３０とで形成される間隙の幅Ｄ１は、ローラ部材１１の幅Ｄ２よりも小さく設定されており、引戸１０が見込方向に（水平方向に）動いたとしても、ローラ部材１１（軸保持部１３又は回転軸１４）が側部カバー部３２に接触し、吊車１５がレール溝２１から脱輪しないように形成されている。
【００３１】
また、引戸１０が振れてローラ部材１１がカバー部材３０の方向に倒れたときには（図２で言えば引戸１０の上端が左方向に倒れたときには）、ローラ部材１１の上端近傍（軸保持部１３又は回転軸１４）がカバー部材３０の側部カバー部３２に接触することで、引戸１０が所定角度を超えて傾かないように規制される。このため、吊車１５がレール溝２１から脱輪してしまうほど大きく引戸１０が傾くことがないので、吊車１５がレール溝２１から脱輪することが防止されるようになっている。
【００３２】
また、引戸１０が振れてローラ部材１１がカバー部材３０の反対方向に倒れたときには（図２で言えば引戸１０の上端が右方向に倒れたときには）、当接部１８がカバー部材３０の角部３３に接触することで、引戸１０が所定角度を超えて傾かないように規制される。このため、吊車１５がレール溝２１から脱輪してしまうほど大きく引戸１０が傾くことがないので、吊車１５がレール溝２１から脱輪することが防止されるようになっている。
【００３３】
このように、引戸１０がどの方向に振れたとしても、カバー部材３０によってローラ部材１１の移動が規制され、上レール２０から吊車１５が脱輪することを防止できるように形成されている。
【００３４】
そして、カバー部材３０の更に外側には、図２に示すように、フレームカバー２５が装着される。このフレームカバー２５は、上レール２０及びカバー部材３０の側部及び上部を覆うように取り付けられる。これにより、カバー部材３０が覆われて意匠性が向上するとともに、カバー部材３０が確実に上レール２０に装着される。
【００３５】
引戸１０を設置する際には、まず、上レール２０の上にローラ部材１１の吊車１５を引っ掛けて、引戸１０を上レール２０に吊り込む。その後、カバー部材３０を取り付けてネジで固定する。最後に、フレームカバー２５を取り付けるだけでよい。
【００３６】
なお、上レール２０やローラ部材１１の形状が異なる場合には、カバー部材３０の形状を変えて、上部カバー部３１や側部カバー部３２の位置を調整すればよい。このようにカバー部材３０の形状を変えるだけでレール幅などの形状変更に対応することができる。すなわち、図１に示すような、インターホン等の門回り機能部品を備えた支柱３８、引戸１０、固定パネル３９などから構成される門周り構造体等に用いた場合、その上枠部分（上レール２０、フレームカバー２５を含めた部分）のデザインが、カバー部材３０の形状によって制限を受けることがなく、自由なデザインとすることができる。
【００３７】
以上のように、本実施形態によれば、上レール２０に取り付けられるカバー部材３０を備えており、このカバー部材３０で脱落防止を実現できるので、脱輪防止の専用部品を設ける必要がなく、安価に製造でき、また、レールの形状などが脱輪防止部品によって制約を受けることもない。
【００３８】
また、カバー部材３０は、引戸１０の水平方向及び垂直方向への移動を規制するとともに、引戸１０が振れたときに所定角度を超えて傾かないように規制するので、ローラ部材１１が水平方向または垂直方向に移動して上レール２０から外れることを防止するだけではなく、引戸１０が前後に振れることでローラ部材１１が上レール２０から外れることも防止することができる。よって、引戸１０下部がノンレールの場合であっても、その振れ幅の大きさに耐えうる構造であり、面積が大きい引戸１０を屋外に設置した場合において引戸１０が水平方向に移動したり、引戸１０が前後に振れたりした場合でも、上吊式の引戸１０が上レール２０から脱落することを防止できる。
【００３９】
また、カバー部材３０を取り付ける前においては上レール２０が解放されているため、上レール２０の上にローラ部材１１を引っ掛けるだけで容易に引戸１０を上レール２０に吊り込むことができる。例えば引戸１０の上部が見えないような高尺の引戸１０の場合でも容易に引戸１０を吊り込むことができ、引戸１０を吊り込んだ後にカバー部材３０を取り付けることができる。
【００４０】
また、ローラ部材１１は、上レール２０に沿って回転自在な回動部（吊車１５）と、この回動部を支持する支軸部（支持部１２、軸保持部１３、回転軸１４）と、を有し、支軸部はカバー部材３０に接触可能である。すなわち、回動部をカバー部材３０に接触させるのではなく、支軸部をカバー部材３０に接触させているので、回動部の破損を防止できるとともに、構造的に強度を有する部分で接触させることで確実に脱落を防止することができる。
【符号の説明】
【００４１】
１０  引戸
１１  ローラ部材
１２  支持部（支軸部）
１３  軸保持部（支軸部）
１４  回転軸（支軸部）
１５  吊車（回動部）
１８  当接部
２０  上レール
２１  レール溝
２５  フレームカバー
３０  カバー部材
３１  上部カバー部
３２  側部カバー部
３３  角部
３４  下部カバー部
３８  支柱
３９  固定パネル
【図１】
2014125843.tif 000003
【図２】
2014125843.tif 000004